(57)【要約】【課題】カメラの外装部材を組み立て易くしたカメラの外装構造を提供すること。【解決手段】正面形状が略四角形形状のカメラに対し、前記カメラの前面外観中央部を覆う第一外装部材と、前記第一外装部材の側方一辺側から前記カメラを覆う第二外装部材と、前記第二外装部材と対向した側方他端一辺を覆う第三外装部材とを有し、前記第二外装部材と前記第三外装部材は前記カメラの略四角形形状の少なくとも四隅部を構成したことにある【選択図】　　　図１
2004037628.tif 000002
【特許請求の範囲】
【請求項１】
正面形状が略四角形形状のカメラに対し、前記カメラの前面外観中央部を覆う第一外装部材と、前記第一外装部材の側方一辺側から前記カメラを覆う第二外装部材と、前記第二外装部材と対向した側方他端一辺を覆う第三外装部材とを有し、前記第二外装部材と前記第三外装部材は前記カメラの略四角形形状の少なくとも四隅部を構成したことを特徴とするカメラの外装構造。
【請求項２】
前記請求項１に記載のカメラにおいて、前記第一外装部材は撮影鏡筒の少なくとも一部を覆う開口部を有することを特徴とするカメラの外装構造。
【請求項３】
前記請求項１に記載のカメラにおいて、前記第二あるいは第三外装部材の少なくとも一方に閃光発光部の開口部の少なくとも一部を有することを特徴とするカメラの外装構造。
【請求項４】
前記請求項１に記載のカメラにおいて、前記第二あるいは第三外装部材の少なくとも一方に前記カメラのストラップの開口部を有することを特徴とするカメラの外装構造。
【請求項５】
前記請求項１に記載のカメラにおいて、前記第二あるいは第三外装部材の少なくとも一方に前記カメラの電池の挿入用開口部を有することを特徴とするカメラの外装構造。
【発明の詳細な説明】
【０００１】
【発明の属する技術分野】
本発明はカメラの外装構造に関するものである。
【０００２】
【従来の技術】
近年、コンパクトカメラは各メーカから多くのものが提案されている。その中の多くのカメラがほぼ類似のカバー構成になっている。このカバー構成はカメラの厚み方向でカバーが分割された構成である。たとえば、特開平０７−０４３８１０号公報ではカバーの材料に金属を使用した場合のカバー構成を提案している。この提案の場合、このカメラのカバー構成は、金属カバーとその中にインナーカバー、そしてその後方に後カバーを有する、カメラの厚み方向でカバーが分割された３体構成になり、カメラを正面から見た場合にカメラの形状は略四角形になっている。
【０００３】
また、カバーのカメラへの組み付け時は金属カバーとインナーカバーが一体的に構成されるので、前面の金属カバー及びインナーカバーにより、略四角形のカメラ四隅の角部が構成され、前面のカバーはカメラの上下及び左右の面まで延びた構成になる。
【０００４】
また、上記の従来例ではカメラの四隅の少なくとも一方が金属カバーによって構成されている。一方、特開平０７−０４３８１１号公報ではカバーの側面に操作部材があり、これは背蓋を開ける時に下方へスライドさせるものである。この場合、操作部材は、前カバーを取り付ける時にはもう既にカメラ本体に取り付けられている。
【０００５】
【発明が解決しようとする課題】
しかしながら、上記の従来例では金属カバーとインナーカバーとが一体的に組み付けられることになる。従って、前側からカバーを組み付ける際に、カメラ内部の上下左右の面に突部（例えば、三脚穴及び背蓋開用ツマミ）などが有り、突部を乗り越えて組み付ける必要な箇所が多く、邪魔になって組み付け及び取り外しにくいという問題が発生していた。
【０００６】
また、前面の外装部材が金属材であった場合に、前面外装部分の四隅の少なくとも１箇所でも金属材で構成すると金属部が深絞り構造になり、金属カバーが製作しにくく、コストアップの要因になってしまっていた。
【０００７】
そして、本発明はカメラの外装部材を組み立て易くしたカメラの外装構造を提供することを第１の目的とする。又、コストダウンを図りながらも製作し易いカメラの外装構造を提供することを第２の目的とする。
【０００８】
【課題を解決するための手段】
上記目的を達成するために、本出願に係わる請求項１に記載の発明は、正面形状が略四角形形状のカメラに対し、前記カメラの前面外観中央部を覆う第一外装部材と、前記第一外装部材の側方一辺側から前記カメラを覆う第二外装部材と、前記第二外装部材と対向した側方他端一辺を覆う第三外装部材とを有し、前記第二外装部材と前記第三外装部材は前記カメラの略四角形形状の少なくとも四隅部を構成したことにある。
【０００９】
カメラ前面に係わるカバーがカメラ中央部を覆う第一外装部材、カメラの一辺を覆う第二外装部材及び第二外装部材に対向した位置で他端を覆う第三外装部材を設けることで、カメラ前面を覆う外装部材が中央部及び左右が別々に組みつけられるので、カメラ前面を覆う外装部材が組みやすくなる。
【００１０】
また第一外装部材が金属材を使用した場合、カメラの四隅を覆う部分は第二及び第三外装部材で構成されるので第一外装部材で構成されない。従って、金属材で構成されないので、第一外装部材は深く絞る必要がなくなり第一外装部材のコストダウンが可能になる。
【００１１】
請求項２に記載の発明は、第一外装部材で鏡筒周りだけを構成することで第一外装部材の組みやすさが向上し、また第一外装部材を金属材で構成した場合は第一外装部材のコストダウンが可能になる。
【００１２】
請求項３に記載の発明は、カメラの閃光発光部がカメラの両脇のどちらかに配置されるので少なくとも第二あるいは第三外装部材の一部に閃光発光部の開口部を設ける必要が出てくることになる。
【００１３】
請求項４に記載の発明は、カメラのストラップ部がカメラの両脇のどちらかに配置されるので少なくとも第二あるいは第三外装部材の一部にストラップ部の開口部を設ける必要が出てくることになる。
【００１４】
請求項５に記載の発明は、カメラの電池がカメラの両脇のどちらかに配置されるので少なくとも第二あるいは第三外装部材の一部に電池挿入部の開口部を設ける必要が出てくることになる。
【００１５】
【発明の実施の形態】
（実施例）
図１及び図２により本発明のカメラの外観構造についての説明をする。
【００１６】
図１は本発明の外観部品構成を示す上方から見た分解斜視図で、図２は本発明の外観部品構成の一部を下方から見た分解斜視図はある。
【００１７】
１はカメラの骨組みを構成している本体である。この本体１にカメラ構成の部品が取り付けられていく。２はカメラの鏡筒（不図示）回りを含む中央部を覆う第一外装部材である。この第一外装部材は本実施例では金属材料で構成されている。第一外装部材２は鏡筒を取り囲む開口部２ｂがある。３はレリーズ釦を構成するためのレリーズベースで、これは第一外装部材２の開口部２ｃに内側から接着される。
【００１８】
４はレリーズベース３の外観側に取り付くレリーズのキャップである。５は外部表示用窓であり、５ａ、５ｂ、５ｃはカメラの操作釦部であり、外部表示窓５に一体的に形成されている。６、７、８はキヤップ１、キヤップ２、キヤップ３であり、前述の操作部５ａ、５ｂ、５ｃにそれぞれはめ込まれる。その後、外部表示窓５は第一外装部材２の開口部２ｄに内側から接着される。
【００１９】
９はインナーカバーで第一外装部材２の内側から接着される。また、１０、１１、１２はそれぞれファインダー窓、赤目窓、リモコン窓である。それぞれの窓は第一外装部材２の開口部２ｅ、２ｆ、２ｇにはまり込み接着される。これらすべての部品を接着し、本体１に組み込まれる。この時、本体１の下面にはカメラを三脚に取り付けるための三脚穴１ｈがあり、第一外装部材２を本体１に取り付ける時に開口部２ｈが三脚穴１ｈの突部を乗り越えてはまることになる。１３は後カバであり、１４はカメラの電源スイッチ釦で、１５は電源スイッチキヤップである。この電源スイッチ釦は後カバ１３に取り付けられる。１６は接眼窓である。この接眼窓１６も後カバ１３に内側から接着される。これらの部品を後カバ１３に取り付けた後に、本体１に後方から取り付けられる。
【００２０】
１７はカメラをぶら下げるストラップリングである。１８はストラップリング１７を保持するストラップベースでストラップベース１８の開口部１８ａに通して、１９のＥリングで保持する。このストラップベース１８の開口部１８ｂ、１８ｃからビス（不図示）で本体１のビス穴１ｂ、１ｃに止められ本体１に保持される。
【００２１】
２０は電池蓋で、２１は指掛りである。指掛り２１は電池蓋２０のザグリ部２０ｃに取り付けられる。そして、電池蓋２０は軸部２０ａ、２０ｂが本体１のザグリ部１ｄに入り込む。２２は第二外装部材で、カメラの左側面をカバーし、開口部２２ｄに前記の電池蓋２０が入り込む。また、第二外装部材２２には開口部２２ａがあり、ストラップリング１７を通すための開口になっている。
【００２２】
第二外装部材２２は開口２２ｂとか以降２２ｃからビス（不図示）で本体１のビス穴１ｂ、１ｅで留められている。２３は背蓋（不図示）を開く時にカメラの下方向に操作するための背蓋開ツマミであり、背蓋開ツマミにはツマミ部２３ａがある。２４は第三外装部材でありカメラの右側面をカバーし、開口部２４ａに閃光発光部（不図示）が配置される。２４ｂは第三外装部材２４の開口部で背蓋開ツマミ２３のツマミ部２３ａが入り込むことになる。第三外装部材２４は開口２４ｂと開口２４ｃからビス（不図示）で本体１のビス穴１ｆ、１ｇで留められている。
【００２３】
そして、第２外装部材２２と第３部材２４は、正面形状が略四角形形状をしたカメラの少なくとも四隅部を構成するようにしている。
【００２４】
【発明の効果】
以上説明した通り、請求項１に記載の本発明によれば、カメラ前面に係わるカバーがカメラ中央部を覆う第一外装部材、カメラの一辺を覆う第二外装部材及び第二外装部材に対向した位置で他端を覆う第三外装部材を設けることで、カメラ前面を覆う外装部材が中央部及び左右が別々に組みつけられるので、カメラ前面を覆う外装部材が組みやすくなる。
【００２５】
また第一外装部材が金属材を使用した場合、カメラの四隅を覆う部分は第二及び第三外装部材で構成されるので第一外装部材で構成されない。従って、金属材で構成されないので、第一外装部材は深く絞る必要がなくなり第一外装部材のコストダウンが可能になる。
【００２６】
また請求項２に記載の発明によれば、第一外装部材で鏡筒周りだけを構成することで第一外装部材の組みやすさが向上し、また第一外装部材を金属材で構成した場合は第一外装部材のコストダウンが可能になる。
【００２７】
請求項３に記載の発明によれば、カメラの閃光発光部がカメラの両脇のどちらかに配置されるので少なくとも第二あるいは第三外装部材の一部に閃光発光部の開口部を設ける必要が出てくることになる。
【００２８】
請求項４に記載の発明によれば、カメラのストラップ部がカメラの両脇のどちらかに配置されるので少なくとも第二あるいは第三外装部材の一部にストラップ部の開口部を設ける必要が出てくることになる。
【００２９】
請求項５に記載の発明によれば、カメラの電池がカメラの両脇のどちらかに配置されるので少なくとも第二あるいは第三外装部材の一部に電池挿入部の開口部を設ける必要が出てくることになる。
【図面の簡単な説明】
【図１】本発明の外装部品構成を示す上方から見た分解斜視図。
【図２】本発明の外観部品構成の一部を下方から見た分解斜視図。
【符号の説明】
１　本体
２　第一外装部材
３　レリーズベース
４　レリーズのキャップ
５　外部表示用窓
６　キヤップ１
７　キヤップ２
８　キヤップ３
９　インナーカバー
１０　ファインダー窓
１１　赤目窓
１２　リモコン窓
１３　後カバ
１４　電源スイッチ釦
１５　電源スイッチキヤップ
１６　接眼窓
１７　ストラップリング
１８　ストラップベース
１９　Ｅリング
２０　電池蓋
２１　指掛り
２２　第二外装部材
２３　背蓋開ツマミ
２４　第三外装部材
【図１】
2004037628.tif 000003
【図２】
2004037628.tif 000004